【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
第1の複数個の擬似距離を決定することと、
前記第1の複数個の擬似距離が決定された後、第２の複数個の擬似距離を決定することと、
(a) 記憶限度に達したことを決定すること、
(b) 擬似距離の最新の組が送信されてから、所定時間が経過したことを決定すること、あるいは
(c) 通信リンクを介して外部ソースからのコマンドを受信すること
のうちの１またはそれより多くに応答して、及び前記第２の複数個の擬似距離が決定された後で、位置決めのために前記第1の複数個の擬似距離と前記第２の複数個の擬似距離とを送信すること
を備えた、衛星位置決めシステム（ＳＰＳ）受信機の操作方法。
【請求項２】
前記第1の複数個の擬似距離が決定される第1ＳＰＳ信号を前記ＳＰＳ受信機において受信することと、
前記第1ＳＰＳ信号を前記ＳＰＳ受信機で受けた第1受信時間を決定することと、
前記第２の複数個の擬似距離が決定される第２ＳＰＳ信号を前記ＳＰＳ受信機において受信することと、
前記第２ＳＰＳ信号が前記ＳＰＳ受信機で受信された第２受信時間を決定することと、
前記第１受信時間と前記第２受信時間とを送信することと
を更に備える、請求項１に記載の方法。
【請求項３】
前記所定時間は変更可能である、請求項１に記載の方法。
【請求項４】
前記所定時間を変更することにより、前記第１の複数個の擬似距離と前記第２の複数個の擬似距離との間の時間間隔が変更される、請求項３に記載の方法。
【請求項５】
前記第１の複数個の擬似距離と前記第２の複数個の擬似距離は、時間にわたり順次決定され、その後データの集合として送信される一連の複数組の擬似距離の一部である、請求項４に記載の方法。
【請求項６】
さらに下記を具備する請求項１に記載の方法：
無線通信システムの第１時間に基づいて第１の複数個の擬似距離が決定される時間の第１のタイムスタンプを決定する；
該無線通信システムの第２時間に基づいて第２の複数個の擬似距離が決定される時間の第２のタイムスタンプを決定する、
ここにおいて、送信する工程は、第１のタイムスタンプと第２のタイムスタンプとを送信することを含む。
【請求項７】
さらに下記を具備する請求項１に記載の方法：
ＣＤＭＡ信号の時間を読み取る；
第１の組の擬似距離が決定される複数の信号の第１時間をタイムスタンプする；
第２の組の擬似距離が決定される複数の信号の第２時間をタイムスタンプする。
【請求項８】
複数のＳＰＳ信号を受信するＳＰＳ無線周波数受信機と、
前記ＳＰＳ無線周波数受信機に結合されたプロセッサと、前記プロセッサは、前記複数のＳＰＳ信号から複数の擬似距離を決定する、ここにおいて前記プロセッサは第１の複数個の擬似距離を決定し、前記第１の複数個の擬似距離が決定された後、第２の複数個の擬似距離を決定する、
前記プロセッサに結合されたメモリと、前記メモリは、前記第１複数個の擬似距離と前記第２の複数個の擬似距離とを記憶する、
前記メモリに結合された送信機と、前記送信機は、
(a) 記憶限度に達したことを決定すること、
(b) 擬似距離の最新の組が送信されてから、所定時間が経過したことを決定すること、あるいは
(c) 通信リンクを介して外部ソースからのコマンドを受信すること
のうちの１またはそれより多くに応答して、及び前記第２の複数個の擬似距離が決定された後で、位置決めのために前記第１の複数個の擬似距離と前記第２の複数個の擬似距離とを送信する
を備えた移動衛星位置決めシステム（ＳＰＳ）受信機。
【請求項９】
前記ＳＰＳ無線周波数受信機は、前記第１の複数個の擬似距離が決定される複数の第１ＳＰＳ信号を受信し、前記ＳＰＳ無線周波数受信機は、前記第２の複数個の擬似距離が決定される複数の第２ＳＰＳ信号を受信し、ここにおいて、前記複数の第１ＳＰＳ信号が受信された第１受信時間が決定され、前記メモリに記憶され、前記複数の第２ＳＰＳ信号が受信された第２受信時間が決定され、前記メモリに記憶され、ここにおいて、前記送信機は前記第１受信時間と前記第２受信時間とを送信する、請求項８に記載のＳＰＳ受信機。
【請求項１０】
前記第１受信時間と前記第２受信時間は複数のＳＰＳ信号から決定される、請求項９に記載のＳＰＳ受信機。
【請求項１１】
前記第１受信時間と前記第２受信時間は、前記プロセッサに結合された通信受信機が受信したセルベースの通信信号中で受けた複数の時間信号から決定される、請求項９に記載のＳＰＳ受信機。
【請求項１２】
第１時間で受信の複数の第１ＳＰＳ信号から決定した第１の複数個の擬似距離を受信することと、
前記第１時間後の第２時間で受信の複数の第２ＳＰＳ信号から決定した第２の複数個の擬似距離を受信することと、
無線通信システムの第１時間に基づいて該第１時間の第１のタイムスタンプを受信することと、
該無線通信システムの第２時間に基づいて該第２時間の第２のタイムスタンプを受信することと、
前記第１の複数個の擬似距離から第１位置を決定し、前記第２の複数個の擬似距離から第２の位置を決定することを備え、
ここにおいて、前記第１の複数個の擬似距離、前記第２の複数個の擬似距離、該第１のタイムスタンプ、および該第２のタイムスタンプは前記第２時間後に該無線通信システムにおける１つの送信で受信された、
ここにおいて、該１つの送信は、
(a) ＳＰＳ受信機で記憶限度に達したことを決定すること、
(b) 該ＳＰＳ受信機から擬似距離の最新の組が送信されてから、所定時間が経過したことを決定すること、あるいは
(c) 通信リンクを介して外部ソースから該ＳＰＳ受信機で受信されたコマンド
のうちの１またはそれより多くに応答して送信される
衛星位置決めシステム（ＳＰＳ）情報から位置を決定する方法。
【請求項１３】
第１の複数個の擬似距離の補正を対応する第１補正時間の間記憶し、第２の複数個の擬似距離の補正を対応する第２補正時間の間記憶することと、
前記第１位置を前記第１の複数個の擬似距離の補正からも決定し、前記第２位置を前記第２の複数個の擬似距離の補正からも決定することとを更に備えた、請求項１１に記載の方法。
【請求項１４】
さらに下記を具備する請求項１２に記載の方法：
衛星天体暦データをＧＰＳ基準ネットワークから受信する；
該第１位置および該第２位置を決定するために該衛星天体暦データを使用する。
【請求項１５】
さらに下記を具備する請求項１２に記載の方法：
複数のディファレンシャルＧＰＳ補正を受信する；
該ディファレンシャルＧＰＳ補正のそれぞれが決定された時におけるポイントの表示を受信する；
該複数のディファレンシャルＧＰＳ補正に基づいて該第１の複数個の擬似距離および第２の複数個の擬似距離を補正する。
【請求項１６】
第1の複数個の擬似距離を決定するための手段、
前記第1の複数個の擬似距離が決定された後、第２の複数個の擬似距離を決定するための手段、
(a) 記憶限度に達したことを決定すること、
(b) 擬似距離の最新の組が送信されてから、所定時間が経過したことを決定すること、あるいは
(c) 通信リンクを介して外部ソースからのコマンドを受信すること
のうちの１またはそれより多くに応答して、及び前記第２の複数個の擬似距離が決定された後で、位置決めのために前記第1の複数個の擬似距離と前記第２の複数個の擬似距離とを送信するための手段
を備えた、衛星位置決めシステム（ＳＰＳ）受信機。
【請求項１７】
下記を具備する、衛星位置決めシステム（ＳＰＳ）情報から位置を決定するように構成された装置、
第１時間で受信の複数の第１ＳＰＳ信号から決定した第１の複数個の擬似距離を受信するための手段、
前記第１時間後の第２時間で受信の複数の第２ＳＰＳ信号から決定した第２の複数個の擬似距離を受信するための手段、
無線通信システムの第１時間に基づいて該第１時間の第１のタイムスタンプを受信するための手段、
該無線通信システムの第２時間に基づいて該第２時間の第２のタイムスタンプを受信するための手段、
前記第１の複数個の擬似距離から第１位置を決定し、前記第２の複数個の擬似距離から第２の位置を決定するための手段を備え、
ここにおいて、前記第１の複数個の擬似距離、前記第２の複数個の擬似距離、該第１のタイムスタンプ、および該第２のタイムスタンプは前記第２時間後に該無線通信システムにおける１つの送信で受信された、
ここにおいて、該１つの送信は、
(a) ＳＰＳ受信機で記憶限度に達したことを決定すること、
(b) 該ＳＰＳ受信機から擬似距離の最新の組が送信されてから、所定時間が経過したことを決定すること、あるいは
(c) 通信リンクを介して外部ソースから該ＳＰＳ受信機で受信されたコマンド
のうちの１またはそれより多くに応答して送信される。
【手続補正２】
【補正対象書類名】明細書
【補正対象項目名】００４２
【補正方法】変更
【補正の内容】
【００４２】
本明細書の上記説明では、本発明は特定の実施例を参照して説明した。しかし、添付の特許請求の範囲に述べたように、本発明の範囲内で様々な改良、変更が可能である。したがって、本明細書と図面とは発明を示すものであるが、本発明を限定するものではない。  
以下に、本願出願の当初の特許請求の範囲に記載された発明を付記する。
[1]第1の複数個の擬似距離を第1の時間で決定することと、
第２の複数個の擬似距離を第1の時間後の第２の時間で決定することと、
前記第1の複数個の擬似距離を記憶し、前記第２の複数個の擬似距離を記憶することと、
前記第1の複数個の擬似距離と前記第２の複数個の擬似距離とを前記第２の時間後に送信することを備えた、衛星位置決めシステム（ＳＰＳ）受信機の操作方法。
[2]所定の種類の事象が発生したか否かを決定し、所定の種類の事象が発生したとの決定に応答して前記第1の複数個の擬似距離と前記第２の複数個の擬似距離とを送信することを更に備えた、上記[1]に記載の方法。
[3]前記所定の種類の事象は、（ａ）センサがある状態を検出すること；（ｂ）記憶限度に達したこと；（ｃ）所定数の複数組の擬似距離がすでに記憶されたこと；（ｄ）擬似距離の最新の組を送信してから所定時間が経過したこと；（ｅ）外部ソースからのコマンドが通信リンクを介したものであること、のうちの一つである、上記[2]に記載の方法。
[4]前記第1の複数個の擬似距離が決定される第1ＳＰＳ信号を前記ＳＰＳ受信機において受信することと、
前記第1ＳＰＳ信号を前記ＳＰＳ受信機で受けた第1受信時間を決定することと、
前記第２の複数個の擬似距離が決定される第２ＳＰＳ信号を前記ＳＰＳ受信機において受信することと、
この第２ＳＰＳ信号が前記ＳＰＳ受信機で受信された第２受信時間を決定することと、
前記第１受信時間と前記第２受信時間とを送信することと
を更に備える、上記[1]に記載の方法。
[5]所定の種類の事象が発生したか否かを決定し、前記所定の種類の事象が発生したとの決定に応答して前記第1の複数個の擬似距離と、前記第２の複数個の擬似距離と、前記第１受信時間と、前記第２受信時間とを送信することを更に備える、上記[4]に記載の方法。
[6]前記所定の種類の事象が、擬似距離の最新の組を送信してから経過した所定時間を備える、上記[5]に記載の方法。
[7]前記所定時間は変更可能である、上記[6]に記載の方法。
[8]前記所定時間を変更することにより、前記第１の複数個の擬似距離と前記第２の複数個の擬似距離との間の時間間隔が変更される、上記[7]に記載の方法。
[9]前記第１の複数個の擬似距離と前記第２の複数個の擬似距離とが、決定され、時間にわたり順次記憶され、データの集合として送信される一連の複数組の擬似距離の一部である、上記[4]に記載の方法。
[10]ＳＰＳ信号を受信するＳＰＳ無線周波数受信機と、
前記ＳＰＳ無線周波数受信機に結合され、前記ＳＰＳ信号から複数の擬似距離を決定するプロセッサ、ここにおいて前記プロセッサは第１時間で受信したＳＰＳ信号から第１の複数個の擬似距離を決定し、前記第１時間後の第２時間で受信したＳＰＳ信号から第２の複数個の擬似距離を決定する、
前記プロセッサに結合され、前記第１複数個の擬似距離と前記第２の複数個の擬似距離とを記憶するメモリと、
前記メモリに結合され、前記第１の複数個の擬似距離と前記第２の複数個の擬似距離とを前記第２時間後に送信する送信機とを備えた衛星位置決めシステム（ＳＰＳ）受信機。
[11]所定の種類の事象に応答して、前記送信機が前記第1の複数個の擬似距離と前記第２の複数個の擬似距離とを送信する、上記[10]に記載のＳＰＳ受信機。
[12]前記ＳＰＳ無線周波数受信機が前記第１の複数個の擬似距離が決定される第１ＳＰＳ信号を受信し、前記ＳＰＳ無線周波数受信機が前記第２の複数個の擬似距離が決定される第２ＳＰＳ信号を受信し、前記第１ＳＰＳ信号が受信された第１受信時間が決定され前記メモリに記憶され、前記第２ＳＰＳ信号が受信された第２受信時間が決定され、前記メモリに記憶され、前記送信機が前記第１受信時間と前記第２受信時間とを送信する、上記[11]に記載のＳＰＳ受信機。
[13]前記第１受信時間と前記第２受信時間とがＳＰＳ信号から決定される、上記[12]に記載のＳＰＳ受信機。
[14]前記第１受信時間と前記第２受信時間とが、前記プロセッサに結合された通信受信機が受信したセルベースの通信信号中で受けた時間信号から決定される、上記[12]に記載のＳＰＳ受信機。
[15]第１時間で受信の第１ＳＰＳ信号から決定した第１の複数個の擬似距離を受信することと、
前記第１時間後の第２時間で受信の第２ＳＰＳ信号から決定した第２の複数個の擬似距離を受信することと、
前記第１の複数個の擬似距離から第１位置を決定し、前記第２の複数個の擬似距離から第２の位置を決定することを備え、
前記第１の複数個の擬似距離と前記第２の複数個の擬似距離とは前記第２時間後に１つの送信で受信された、衛星位置決めシステム（ＳＰＳ）情報から位置を決定する方法。
[16]前記１つの送信は所定の種類の事象の後に起きる、上記[15]に記載の方法。
[17]第１の複数個の擬似距離の補正を対応する第１補正時間の間記憶し、第２の複数個の擬似距離の補正を対応する第２補正時間の間記憶することと、
前記第１位置を前記第１の複数個の擬似距離の補正からも決定し、前記第２位置を前記第２の複数個の擬似距離の補正からも決定することとを更に備えた、上記[15]に記載の方法。